(57)【特許請求の範囲】
【請求項１】
複数本の端子を備えた湿度センサ素子が、前記複数本の端子を外部に露出させるようにして通気性を有するケース内に収納されて構成された湿度センサと、
前記複数本の端子が嵌合されるコネクタ及び前記コネクタを介して前記複数本の端子と電気的に接続されて前記コネクタから延び出る複数本のリード線を備えてなるワイヤハーネスと、
前記湿度センサと前記ワイヤハーネスの前記コネクタとが組み合わされて構成された組立体を、前記湿度センサの前記ケースの前記通気性を損ねることなく且つ前記複数本のリード線を外部に引出した状態で、前記複数本の端子と前記コネクタとが分離しないように収納する構造を有するハウジングとを具備し、
前記湿度センサの前記ケースは、前記湿度センサ素子と対向する底壁部と前記底壁部の周縁部から立ち上がる周壁部とを有して前記底壁部に対向する位置に開口部を有する箱形の第１のケース半部と、前記第１のケース半部に組み合わされて前記第１のケース半部の前記開口部を閉塞する閉塞壁部を有する第２のケース半部とを備えており、
前記ハウジングは、一面に前記組立体を挿入する挿入口を備えて前記組立体を収容するハウジング本体と、前記挿入口を塞ぐ蓋体とから構成され、前記ハウジング本体は、前記挿入口を囲む周壁部を有しており、前記周壁部には前記挿入口が開口する方向及び該方向と直交して前記周壁部を貫通する方向に開口して前記リード線の一部が嵌合される凹部が形成されており、前記蓋体には前記ハウジング本体と結合された状態で、前記凹部内に位置する前記リード線の前記一部を前記凹部の底部との間で挟持する挟持部が一体に設けられていることを特徴とする湿度センサユニット。
【請求項２】
前記ハウジング本体と前記蓋体とは機械的結合構造により連結され、
前記機械的結合構造は、前記ハウジング本体及び前記蓋体の一方に設けられた複数の係合部と、前記ハウジング本体及び前記蓋体の他方に設けられて前記複数の係合部と係合する複数の被係合部とからなり、前記複数の係合部及び前記複数の被係合部は、前記蓋体と前記ハウジング本体とを相対的に近付ける動作により両者が係合状態になる構造を有している請求項１に記載の湿度センサユニット。
【請求項３】
前記ハウジング本体の前記周壁部には、前記ハウジング本体内に収納された前記組立体に向かって突出して、前記組立体が前記ハウジング本体内で変位するのを阻止する複数のリブが一体に設けられている請求項１に記載の湿度センサユニット。
【請求項４】
前記湿度センサの前記ケースは、前記第１のケース半部と、前記第２のケース半部と、前記第１のケース半部及び前記第２のケース半部を組み合わせ可能に結合するヒンジ部とからなり、
前記湿度センサ素子は、絶縁基板と前記絶縁基板の一方の面上に形成された湿度検出部とを有し、前記一方の面を第１の間隙を介して前記底壁部と対向させ、前記絶縁基板の他方の面を第２の間隙を介して前記閉塞壁部と対向させるようにして前記ケース内に収納され、
前記第１のケース半部の前記底壁部には、前記第１の間隙内に外気を流入させる複数の第１の通気孔が形成されており、前記第２のケース半部の前記閉塞壁部には、前記第２の間隙内に外気を流入させる複数の第２の通気孔がそれぞれ形成されており、
前記ハウジングは、前記複数の第１の通気孔及び第２の通気孔と対向する位置にそれぞれが通気導入窓を有している請求項１に記載の湿度センサユニット。
【発明の詳細な説明】
【０００１】
【発明の属する技術分野】
本発明は、湿度センサユニットに関するものである。
【０００２】
【従来の技術】
複数本の端子を備えた湿度センサ素子が、該複数本の端子を外部に露出させるようにして通気性を有するケース内に収納されて構成された湿度センサが知られている。この種の湿度センサは、複数本の端子が複数本のリード線に半田付けされてリード線に接続されている。
【０００３】
【発明が解決しようとする課題】
しかしながら、このようにして湿度センサとリード線とを接続するには、半田付け工程が必要になり、接続作業が面倒であった。また、半田付けの熱により湿度センサ素子の特性が変化するおそれがあった。
【０００４】
本発明の目的は、湿度センサ素子の特性を変化させることなく簡単に湿度センサとリード線との接続が行える湿度センサユニットを提供することにある。
【０００５】
本発明の他の目的は、湿度センサ素子とリード線との接続が外れるのを防止できる湿度センサユニットを提供することにある。
【０００６】
【課題を解決するための手段】
本発明の湿度センサユニットは、複数本の端子を備えた湿度センサ素子が、複数本の端子を外部に露出させるようにして通気性を有するケース内に収納されて構成された湿度センサと、複数本の端子が嵌合されるコネクタ及びコネクタを介して複数本の端子と電気的に接続されてコネクタから延び出る複数本のリード線を備えてなるワイヤハーネスと、湿度センサとワイヤハーネスのコネクタとが組み合わされて構成された組立体が収納されるハウジングとを具備している。そして、ハウジングは、ケースの通気性を損ねることなく、複数本のリード線を外部に引出した状態で、複数本の端子とコネクタとが分離しないように組立体を収納する構造を有している。本発明のように、コネクタを介して湿度センサとリード線とを接続すれば、従来のように半田付けの工程が必要なく、簡単に湿度センサとリード線との接続が行える。また、従来のように半田付けの熱により湿度センサ素子の特性が変化するのを防ぐことができる。しかしながら、このようにコネクタを介して湿度センサとリード線とを接続した場合、リード線に力が加わると、湿度センサとコネクタとが外れ易くなるという問題が生じる。そこで本発明では、複数本のリード線を外部に引出した状態で、湿度センサとワイヤハーネスのコネクタとが組み合わされて構成された組立体が収納されるハウジングを具備している。このようにすれば、リード線に力が加わっても、湿度センサとコネクタとが相互に離れる方向に加わる力をハウジングによって阻止することができる。そのため、湿度センサとコネクタとが容易に外れるのを防止することができる。
【０００７】
ハウジングは、一面に組立体を挿入する挿入口を備えたハウジング本体と、挿入口を塞ぐ蓋体と、ハウジング本体と蓋体とを機械的に結合させる機械的結合構造とから構成することができる。この場合、ハウジング本体は挿入口を囲む周壁部を有するように構成し、周壁部には挿入口が開口する方向及び該方向と直交して周壁部を貫通する方向に開口してリード線の一部が嵌合される凹部を形成し、蓋体にはハウジング本体と結合された状態で、凹部内に位置するリード線の一部を凹部の底部との間で挟持する挟持部を一体に設けるのが好ましい。このようにすれば、ハウジング本体と蓋体とを結合させるだけでリード線をしっかりとハウジングに固定でき、湿度センサとコネクタとが外れるのを効果的に防止することができる。
【０００８】
機械的結合構造は、種々の構造により構成することができる。例えば、ハウジング本体及び蓋体の一方に設けられた複数の係合部と、ハウジング本体及び蓋体の他方に設けられて複数の係合部と係合する複数の被係合部とから構成することができる。この場合、複数の係合部及び複数の被係合部は、蓋体とハウジング本体とを相対的に近付ける動作により両者が係合状態になる構造を有しているのが好ましい。このようにすれば、蓋体とハウジング本体とを相対的に近付ける動作だけで、簡単にハウジング本体と蓋体とを機械的に結合させることができる。
【０００９】
また、ハウジング本体の周壁部には、ハウジング本体内に収納された組立体に向かって突出して、組立体がハウジング本体内で変位するのを阻止する複数のリブを一体に設けるのが好ましい。このようにすれば、組立体をハウジング内にぐらつくことなく、しっかりと固定することができる。
【００１０】
湿度センサは、種々の構造のものを用いるこができる。例えば、底壁部と底壁部の周縁部から立ち上がる周壁部とを有し、底壁部に対向する位置に開口部を有する箱形の第１のケース半部と、第１のケース半部に係止構造を介して組み合わされて第１のケース半部の開口部を閉塞する閉塞壁部を有する第２のケース半部と、第１のケース半部及び第２のケース半部を組み合わせ可能に結合するヒンジ部とからなるケースと、絶縁基板と絶縁基板の一方の面上に形成された湿度検出部とを有し、一方の面を第１の間隙を介して底壁部と対向させ、絶縁基板の他方の面を第２の間隙を介して閉塞壁部と対向させるようにしてケース内に収納される湿度センサ素子とを具備し、第１のケース半部の底壁部には、第１の間隙内に外気を流入させる複数の第１の通気孔が形成されており、第２のケース半部の閉塞壁部には、第２の間隙内に外気を流入させる複数の第２の通気孔がそれぞれ形成されているものを用いることができる。この場合、ハウジングには、複数の第１の通気孔及び第２の通気孔と対向する位置にそれぞれが通気導入窓を有しているのが好ましい。このようにすれば、ハウジングの通気導入窓を介して湿度センサの複数の第１の通気孔及び第２の通気孔から外気が直接的に侵入して、湿度センサ素子の湿度検出部が外気に晒される。そのため、湿度の測定を正確に行える。
【００１１】
【発明の実施の形態】
以下、図面を参照して本発明の実施の形態を詳細に説明する。図１（Ａ）及び（Ｂ）は、本実施の形態の湿度センサユニットの平面図及び一部破断側面図である。両図に示すように、本実施の形態の湿度センサユニットは、湿度センサ１とワイヤハーネス３とハウジング５とを具備している。湿度センサ１は、図２（Ａ）及び（Ｂ）に示すように、湿度センサ素子７とケース９とを有している。湿度センサ素子７は、ケース９内に収納されるセラミックス製の矩形の絶縁基板１１と、絶縁基板１１の一方の面（表面）１１ａ上に形成された湿度検出部１３と、湿度検出部１３に電気的に接続されてケース９から外部に延びる２本のリード端子１５Ａ，１５Ｂとを有している。
【００１２】
湿度検出部１３は、一対の櫛歯状の電極１７Ａ，１７Ｂ上の一部に感湿層１９が形成されて構成されている。電極１７Ａ，１７Ｂは、いずれも導通部１７ａと、導通部１７ａから互いに相手方の電極側に向かって延びる複数の櫛歯部１７ｂ…とを有しており、Ａｕ及びＲｕＯからなる低抵抗ペーストをスクリーン印刷することにより形成されている。そして、一対の電極１７Ａ，１７Ｂは、隣接する相互の複数の櫛歯部１７ｂ，１７ｂが０．３〜１．０ｍｍのギャップを有して並ぶように配置されている。感湿層１９は、10.10アイオネンクロライド等の周囲雰囲気の湿度の増加に伴って導電率が増加する感湿ポリマの溶液を用いて形成されている。本例では、電極１７Ａ，１７Ｂの各導通部１７ａの一部及び各櫛歯部１７ｂを覆うように絶縁基板１１の上半部を被覆して感湿層１９を形成した。絶縁基板１１は、この湿度検出部１３と後述するケース９の底壁部２７とが対向するようにケース９内に配置されている。
【００１３】
ケース９は、図２及び図３（Ａ）及び（Ｂ）に示すように、第１のケース半部を構成する箱体２１と、箱体２１に開閉自在に組み合わされる第２のケース半部を構成するほぼ板状の蓋体２３と、箱体２１及び蓋体２３を組み合わせ可能に結合するヒンジ部２５とを有しており、合成樹脂材料の射出成形により一体成形されている。なお、図３（Ａ）及び（Ｂ）は、箱体２１及び蓋体２３を組み合せる前のケース９の平面図及び断面図である。また、図３（Ｂ）には、参考のためケース９内に配置される湿度センサ素子７の輪郭を一点鎖線で示している。
【００１４】
箱体２１は、矩形の底壁部２７と、底壁部の周縁部から立ち上がる４つの側壁部２９Ａ〜２９Ｄからなる周壁部とを有する箱形形状を有している。これにより、箱体２１内には、底壁部２７と対向する一面に開口部３１ａを有する収納室３１が形成される。底壁部２７には、複数の第１の通気孔２７ａ…が形成されている。第１の通気孔２７ａは、外気を流入でき、しかも水滴が内部に浸入し難い大きさの矩形（本例では、一辺０．５ｍｍの正方形）を有している。これらの複数の第１の通気孔２７ａ…は、底壁部２７と対向する湿度センサ素子７の湿度検出部１３上に外気を十分に流入できるように、複数の列を形成して、底壁部２７全体に亘って形成されている。
【００１５】
４つの側壁部２９Ａ〜２９Ｄは、ヒンジ部２５と結合されたヒンジ部結合側壁部２９Ａと、側壁部２９Ａと対向するヒンジ部対向側壁部２９Ｃと、両側壁部２９Ａ，２９Ｃを連結する連結側壁部２９Ｂ，２９Ｄとから構成されている。ヒンジ部対向側壁部２９Ｃには、湿度センサ素子７のリード端子１５Ａ，１５Ｂの付け根部分が配置される端子配置溝２９ａ，２９ｂが形成されている。また、ヒンジ部対向側壁部２９Ｃと連結側壁部２９Ｂとの接合部及びヒンジ部対向側壁部２９Ｃと連結側壁部２９Ｄとの接合部には、開口部３１ａ側に開口する係止孔２９ｃ，２９ｄがそれぞれ形成されている。これらの係止孔２９ｃ，２９ｄには、箱体２１及び蓋体２３を組み合わせた際に後述する蓋体２３の係止用突部３９ｃ，３９ｄがそれぞれ嵌合される。
【００１６】
底壁部２７及び側壁部２９Ａ〜２９Ｄには、底壁部２７から開口部３１ａ側（湿度センサ素子側）に延びて湿度センサ素子７の絶縁基板１１を支持する第１〜第３の支持部用突出部３３，３５，３７が形成されている。第１〜第３の支持部用突出部３３，３５，３７は、仮想の三角形の頂点に位置する位置関係で配置されている。第１の支持部用突出部３３は、底壁部２７とヒンジ部結合側壁部２９Ａと連結側壁部２９Ｄとに亘って形成されており、開口部３１ａ側に絶縁基板１１の角部と当接する五角形の当接面３３ａを有している。第２の支持部用突出部３５は、底壁部２７とヒンジ部結合側壁部２９Ａと連結側壁部２９Ｂとに亘って形成されており、開口部３１ａ側に絶縁基板７の角部と当接する五角形の当接面３５ａを有している。第３の支持部用突出部３７は、ヒンジ部対向側壁部２９Ｃのほぼ中央からヒンジ部結合側壁部２９Ａ側に延びると共に底壁部２７の複数の通気孔２７ａ…の列の間から湿度センサ素子７側に延びる板状の形状を有しており、２本のリード端子１５Ａ，１５Ｂの間に位置して両者の間の空間を仕切る仕切部３７ａと、仕切部３７ａからヒンジ部結合側壁部２９Ａ側に延びる基板当接部３７ｂとを有している。基板当接部３７ｂの開口部３１ａ側の側面３７ｃには、絶縁基板１１の湿度検出部１３が形成されていない部分（絶縁基板１１の下半部の中央）が当接される。このように第１〜第３の支持部用突出部３３，３５，３７は、絶縁基板１１上の湿度検出部１３と接触しない大きさを有して、箱体２１に形成された底壁部側基板支持部を構成している。これらの支持部用突出部３３，３５，３７により、絶縁基板１１の湿度検出部１３と第１のケース半部の底壁部２７との間には第１の間隙が形成される。
【００１７】
蓋体２３は、箱体２１と組み合わされて、箱体２１の開口部３１ａを閉塞する矩形の閉塞壁部３９を有している。閉塞壁部３９は、箱体２１の側壁部２９Ａ〜２９Ｄと当接する周縁部３９ａと、周縁部３９ａに囲まれて、ほぼ五角形の輪郭形状を有する肉厚部３９ｂとを有している。肉厚部３９ｂは、周縁部３９ａの側壁部２９Ａ〜２９Ｄと当接する面から僅かに箱体２１側に突出しており、箱体２１及び蓋体２３が組み合わされた状態で、箱体２１の開口部３１ａから箱体２１内に僅かに入り込む。また、閉塞壁部３９は、ヒンジ部２５と結合されたヒンジ部結合側面３９ｆと、側面３９ｆの反対側に位置するヒンジ部対向側面３９ｇと、両側面３９ｆ，３９ｇを連結する連結側面３９ｈ，３９ｉとを有している。また、この閉塞壁部３９には、複数の第２の通気孔３９ｅ…が形成されている。第２の通気孔３９ｅ…は、蓋体２３の厚み方向両側（閉塞壁部３９の両面３９ｊ，３９ｋ）と一方の連結側面３９ｈとに開口するように、周縁部３９ａと肉厚部３９ｂとに跨って形成された複数のスリットと、閉塞壁部３５の両面３９ｊ，３９ｋと他方の連結側面３９ｉとに開口するように、周縁部３９ａと肉厚部３９ｂとに跨って形成された複数のスリットとにより構成されている。箱体２１と蓋体２３とを組み合わせると、通気孔３９ｅ…の周縁部３９ａに対応する部分３９ｅ１の一面は、連結側壁部２９Ｂ，２９Ｄにより閉塞されるため、部分３９ｅ１が蓋体の辺の外側に向かって開口する開口部となり、第２の通気孔３９ｅ…の肉厚部３９ｂに対応する部分３９ｅ２が蓋体２３の蓋体の厚み方向に開口する開口部となる。第２の通気孔３９ｅも、箱体２１の通気孔２７ａと同様に、蓋体２３が箱体２１に組み合わされた状態で、外気を流入でき、しかも水滴が内部に浸入し難い大きさに形成されている。
【００１８】
閉塞壁部３９のヒンジ部対向側面３９ｇ側の両角部近傍には、箱体２１に向かう側に突出する係止用突部３９ｃ及び３９ｄが形成されている。係止用突部３９ｃ及び３９ｄは、箱体２１の係止孔２９ｃ，２９ｄと共に係止構造を構成しており、箱体２１及び蓋体２３が組み合わされた際に、係止孔２９ｃ，２９ｄに嵌合して両ケース半部２１，２３を係止する。
【００１９】
閉塞壁部３９の肉厚部３９ｂには、閉塞壁部３９の一方の面３９ｊから突出して湿度センサ素子７の絶縁基板１１を支持する第１〜第３の支持部用突出部４１，４３，４５が形成されている。第１及び第２の支持部用突出部４１，４３は、横断面が円形を有しており、箱体２１及び蓋体２３が組み合わされた状態で、箱体２１の第１及び第２の支持部用突出部３３，３５の当接面３３ａ，３５ａと対応する位置に形成されている。第３の支持部用突出部４５は、横断面が楕円形を有しており、箱体２１及び蓋体２３が組み合わされた状態で、箱体２１の第３の支持部用突出部３７の当接面３７ｃと対応する位置に形成されている。これらの第１〜第３の支持部用突出部４１，４３，４５により、蓋体２３に設けられた閉塞壁部側基板支持部が構成される。このため、湿度センサ素子７の絶縁基板１１は、箱体２１及び蓋体２３が組み合わされた状態で、箱体２１に形成された第１〜第３の支持部用突出部３３，３５，３７と蓋体２３に形成された第１〜第３の支持部用突出部４１，４３，４５とに挟持されることになる。そして、これらの第１〜第３の支持部用突出部４１，４３，４５により、絶縁基板１１の他方の面（裏面）１１ｂと閉塞壁部３９との間には第２の間隙が形成される。
【００２０】
箱体２１及び蓋体２３を組み合わせ可能に結合するヒンジ部２５は、第１のヒンジ半部４７と、第２のヒンジ半部４９と、第１のヒンジ半部４７と第２のヒンジ半部４９とを接合する接合部分５１とから構成されている。第１のヒンジ半部４７は、箱体２１のヒンジ部結合側壁部２９Ａに接続されており、細長い三角柱形状を有してる。第２のヒンジ半部４９は、蓋体２３のヒンジ部結合側面３９ｆに接続されており、第１のヒンジ半部４７と同様に細長い三角柱形状を有してる。接合部分５１は、細長い線状形状を有してる。言い換えるならば、第１及び第２のヒンジ半部４７，４９は接合部分５１に向かうに従って厚みが薄くなり、箱体２１の開口部３１ａを蓋体２３の閉塞壁部３９で閉塞した状態で第１及び第２のヒンジ半部４７，４９は互いに密着する形状をそれぞれ有している。このヒンジ部２５により箱体２１及び蓋体２３は、容易に組み合わせることができる。
【００２１】
ワイヤハーネス３は、図１に示すように、湿度センサ素子７の２本のリード端子１５Ａ，１５Ｂが嵌合されるコネクタ３ａと該コネクタ３ａを介してリード端子１５Ａ，１５Ｂと電気的に接続されてコネクタ３ａから延び出る２本のリード線３ｂ，３ｂとを備えている。
【００２２】
ハウジング５は、ハウジング本体５３と、ハウジング本体５３に結合された蓋体５５とを有しており、湿度センサ１とワイヤハーネス３のコネクタ３ａとが組み合わされて構成された組立体を収納している。ハウジング本体５３は、合成樹脂材料からなり、図４（Ａ）〜（Ｃ）に示すように、底壁部５７と底壁部５７の周縁部から立ち上がる４つの側壁部５９Ａ〜５９Ｄからなる周壁部５９とを有する箱形形状を有している。これにより、ハウジング本体５３には、周壁部５９に囲まれて組立体（１，３ａ）を挿入する挿入口５３ａが形成される。底壁部５７には、湿度センサ１の複数の第１の通気孔２７ａ…全体と対向する位置に底壁部５７を貫通する矩形の第１の通気導入窓５７ａが形成されている。
【００２３】
４つの側壁部５９Ａ〜５９Ｄは、電気機器等の被取付部に取り付けられる取付側壁部５９Ａと、取付側壁部５９Ａと対向する対向側壁部５９Ｃと、両側壁部５９Ａ，５９Ｃを連結する連結側壁部５９Ｂ，５９Ｄとから構成されている。取付側壁部５９Ａの外面には、対向側壁部５９Ｃに向かう方向と反対側に突出して電気機器等の被取付部に係合する係合部５９ａが形成されている。対向側壁部５９Ｃには、挿入口５３ａが開口する方向及び該方向と直交して対向側壁部５９Ｃを貫通する方向に開口する凹部５９ｂが形成されている。凹部５９ｂが形成される内周には、相互に対向する２つの対向面５９ｃ，５９ｃと、対向面５９ｃ，５９ｃにそれぞれ連続して挿入口５３ａ側に開口する２つの半円状面５９ｄ，５９ｄと、２つの半円状面５９ｄ，５９ｄを連結する連結面５９ｅとが形成されている。半円状面５９ｄ，５９ｄには、リード線３ｂ，３ｂの一部が嵌合される。連結側壁部５９Ｂ，５９Ｄは、底壁部５７から離れるに従って相互に離れるように傾斜して底壁部５７に結合されている。連結側壁部５９Ｂ，５９Ｄには、該連結側壁部５９Ｂ，５９Ｄを貫通する矩形の被係合孔５９ｆ，５９ｇがそれぞれ２つずつ形成されている。これらの被係合孔５９ｆ，５９ｇは、ハウジング本体５３と蓋体５５とを機械的に結合させる後述する機械的結合構造の被係合部を構成している。
【００２４】
底壁部５７と周壁部５９とに亘る部分には、組立体（１，３ａ）に向かって突出する複数のリブ５９ｈ…が一体に設けられている。具体的には、底壁部５７と取付側壁部５９Ａとに亘る部分に２本の小リブ５９ｈ，５９ｈが設けられている。また、底壁部５７と連結側壁部５９Ｂとに亘る部分には、３本の小リブ５９ｉ…，１本の大リブ５９ｊ及び２本の小リブ５９ｋ，５９ｋが設けられている。また、底壁部５７と連結側壁部５９Ｄとに亘る部分には、３本の小リブ５９ｍ…，１本の大リブ５９ｎ及び２本の小リブ５９ｐ，５９ｐが設けられている。小リブ５９ｈ，５９ｈ，５９ｉ…，５９ｍ…に囲まれる領域には、組立体（１，３ａ）の湿度センサ１が配置されており、これらのリブにより、ハウジング本体５３内での湿度センサ１の変位が阻止される。大リブ５９ｊ，５９ｎと小リブ５９ｋ，５９ｋ，５９ｐ，５９ｐに囲まれる領域には、組立体（１，３ａ）のコネクタ３ａが配置されており、これらのリブにより、ハウジング本体５３内でのコネクタ３ａの変位が阻止される。
【００２５】
蓋体５５は、ハウジング本体５３と同様に合成樹脂材料からなり、図５（Ａ）〜（Ｃ）に示すように、ハウジング本体５３と組み合わされて、ハウジング本体５３の挿入口５３ａを閉塞する矩形の閉塞壁部６１を有している。閉塞壁部６１には、湿度センサ１の複数の第２の通気孔３９ｅ…全体と対向する位置に閉塞壁部６１を貫通する第２の通気導入窓６１ａが形成されている。本例では、湿度センサ１の複数の第２の通気孔３９ｅ…は、湿度センサ１の幅方向両側にそれぞれ位置しているため、第２の通気導入窓６１ａは、それぞれの複数の第２の通気孔３９ｅ…に対応して２つ形成されている。また、コネクタ３ａの突出部が嵌合するように閉塞壁部６１を貫通するスリット６１ｂが閉塞壁部６１に形成されている。
【００２６】
閉塞壁部６１のハウジング本体５３の対向側壁部５９Ｃに対応する部分には、ハウジング本体５３に向かって突出して、ハウジング本体５３の凹部５９ｂの底部との間でリード線３ｂ，３ｂの一部を挟持する板状の挟持部６３が一体に設けられている。挟持部６３は、閉塞壁部６１の外側に形成された挟持本体６３ａと、挟持本体６３ａの内側に位置する閉塞壁部６１の縁部上に形成された２つの補助板状部６３ｂ，６３ｂ及び補助リブ６３ｆとを有している。挟持本体６３ｂの厚み方向と直交する方向には、２つの側面６３ｃ，６３ｃと、側面６３ｃ，６３ｃにそれぞれ連続してハウジング本体５３側に開口する２つの半円状面６３ｄ，６３ｄと、２つの半円状面６３ｄ，６３ｄを連結する連結面６３ｅとが形成されている。これにより、側面６３ｃ，６３ｃと補助板状部６３ｂ，６３ｂとの間には段差が形成されることになる。
【００２７】
閉塞壁部６１のハウジング本体５３の連結側壁部５９Ｂ及び連結側壁部５９Ｄに対応する部分には、ハウジング本体５３に向かって突出して、連結側壁部５９Ｂ及び連結側壁部５９Ｄの被係合孔５９ｆ，５９ｇに係合する係合部（係合突起）６５Ａ，６５Ｂがそれぞれ２つずつ形成されている。係合突起６５Ａ，６５Ｂは、図５（Ｃ）に示すように、閉塞壁部６１から立ち上がる基部６５ａと基部６５ａから連結側壁部５９Ｂ及び連結側壁部５９Ｄ側に突出する突部６５ｂとをそれぞれ有している。本例では、蓋体５５に設けられた係合突起６５Ａ，６５Ｂと、ハウジング本体５３に設けられた被係合孔５９ｆ，５９ｇとからハウジング本体５３と蓋体５５とを機械的に結合させる機械的結合構造が構成されている。
【００２８】
本例の湿度センサユニットは、次のようにして組み立てる。まず、湿度センサ１のリード端子１５Ａ，１５Ｂとワイヤハーネス３のコネクタ３ａとを接合して湿度センサ１とワイヤハーネス３のリード線３ｂ，３ｂとを電気的に接続する。次に、湿度センサ１とコネクタ３ａとが組み合わされた組立体をハウジング本体５３の挿入口５３ａから挿入してハウジング本体５３内に収納し、リード線３ｂ，３ｂの一部をハウジング本体５３の半円状面５９ｄ，５９ｄに囲まれた凹部に嵌合して、リード線３ｂ，３ｂをハウジング本体５３から引き出す。
【００２９】
次に、ハウジング本体５３の挿入口５３ａを蓋体５５で塞ぐように、蓋体５５とハウジング本体５３とを相対的に近付ける。これにより、蓋体５５の係合突起６５Ａの突部６５ｂをハウジング本体５３の被係合孔５９ｆに係合し、係合突起６５Ｂの突部６５ｂをハウジング本体５３の被係合孔５９ｇに係合する。また、蓋体５５の補助板状部６３ｂ，６３ｂ及び補助リブ６３ｆとハウジング本体５３の対向側壁部５９Ｃの裏面とを当接させ、蓋体５５の挟持部６３の側面６３ｃ，６３ｃとハウジング本体５３の対向面５９ｃ，５９ｃとを当接させ、蓋体５５の連結面６３ｅとハウジング本体５３の連結面５９ｅとを当接させる。これにより、蓋体５５の半円状面６３ｄ，６３ｄとハウジング本体５３の半円状面５９ｄ，５９ｄとの間でリード線３ｂ，３ｂが挟持されて、湿度センサユニットの組み立てを完了する。
【００３０】
本例の湿度センサユニットによれば、従来のように半田付けの工程が必要なく、簡単に湿度センサ１とリード線３ｂ，３ｂとの接続が行える。また、従来のように半田付けの熱により湿度センサ素子７の特性が変化するのを防ぐことができる。また、リード線３ｂ，３ｂに力が加わっても、湿度センサ１とコネクタ３ａとが相互に離れる方向に加わる力をハウジング５によって阻止することができる。そのため、湿度センサ１とコネクタ３ａとが外れるのを防止することができる。
【００３１】
【発明の効果】
本発明によれば、簡単に湿度センサとリード線との接続が行え、半田付けの熱により湿度センサ素子の特性が変化するのを防ぐことができる。
【００３２】
また、湿度センサとコネクタとが外れるのを防止することができる。
【図面の簡単な説明】
【図１】  （Ａ）及び（Ｂ）は、本発明の実施の形態の湿度センサユニットの平面図及び一部破断側面図である。
【図２】  （Ａ）及び（Ｂ）は、図１に示す湿度センサユニットに用いる湿度センサの一部破断平面図及び側面図である。
【図３】  （Ａ）は、図２に示す湿度センサの第１のケース半部及び第２のケース半部を組み合せる前のケースの平面図であり、（Ｂ）は、（Ａ）のＢ−Ｂ線断面図である。
【図４】  （Ａ）〜（Ｃ）は、図１に示す湿度センサユニットに用いるハウジング本体の裏面図，側面図及び背面図である。
【図５】  （Ａ）〜（Ｃ）は、図１に示す湿度センサユニットに用いる蓋体の側面図，裏面図及び背面図である。
【符号の説明】
１  湿度センサ
３  ワイヤハーネス
３ａ  コネクタ
３ｂ  リード線
５  ハウジング
７  湿度センサ素子
９  ケース
１５Ａ，１５Ｂ  リード端子
２７ａ  第１の通気孔
３９ｅ  第２の通気孔
５３  ハウジング本体
５３ａ  挿入口
５５  蓋体
５７  底壁部
５７ａ  第１の通気導入窓
５９  周壁部
５９ｂ  凹部
５９ｆ，５９ｇ  被係合孔（被係合部）
５９ｈ…  リブ
６１ａ  第２の通気導入窓
６３  板状の挟持部
６５Ａ，６５Ｂ  係合突起（係合部）
【図１】
0004076346.tif 000002
【図２】
0004076346.tif 000003
【図３】
0004076346.tif 000004
【図４】
0004076346.tif 000005
【図５】
0004076346.tif 000006